(57)【要約】      （修正有）【課題】コネクタの接続端子が配線板に表面実装される場合に、接続端子を実装面に対して均一に実装することができる電子機器、実装構造体、およびコネクタを提供する。【解決手段】所定の長さのコネクタハウジング１１０と、該ハウジング内に固着される第１の固定部材１１Ａと、所定の間隔で前記長さ方向に配列された複数の接続端子１１ａとを有するコネクタと、第１の面１５Ａと、反対側の第２の面とを有した配線板１５であって、複数の接続端子の夫々に対応して第１の面に設けられた複数のランドと、第１の固定部材と対向する位置に設けられた貫通孔部とを有する配線板と、第２の面側から前記貫通孔部に挿入され、第１の固定部材と締結することで前記コネクタと配線板とを固定する第２の固定部材１１Ｂとを具備し、第１の固定部材は、第２の固定部材の挿入方向から見た際に、複数の接続端子の配列長の範囲内に少なくともその一部が収まっている。【選択図】図４
2009134957.tif 000002
【特許請求の範囲】
【請求項１】
第１の部材で構成され所定の長さを有するハウジングと、このハウジング内に固着され前記第１の部材と異なる第２の部材で構成された第１の固定部材と、所定の間隔で前記長さ方向に配列された複数の接続端子とを有するコネクタと、
第１の面と、この第１の面と反対側の第２の面とを有した配線板であって、前記複数の接続端子の夫々に対応して前記第１の面に設けられた複数のランドと、前記第１の固定部材と対向する位置に設けられた貫通孔部とを有する配線板と、
前記第２の面側から前記貫通孔部に挿入され、前記第１の固定部材と締結することで前記コネクタと前記配線板とを固定する第２の固定部材と、を具備し、
前記第１の固定部材は、前記第２の固定部材の挿入方向から見た際に、前記複数の接続端子の配列長の範囲内に少なくともその一部が収まっていることを特徴とする電子機器。
【請求項２】
前記第１の固定部材は、前記コネクタの前記ハウジング内に少なくとも１つ設けられることを特徴とする請求項１に記載の電子機器。
【請求項３】
前記第１の固定部材は、前記コネクタの前記ハウジング内に設けられる雌ネジであり、
前記第２の固定部材は、雄ネジであり、
前記第１の固定部材と前記第２の固定部材は、螺合することで締結することを特徴とする請求項２に記載の電子機器。
【請求項４】
前記雌ネジは、前記コネクタの前記ハウジング内に設けられるナットであることを特徴とする請求項３に記載の電子機器。
【請求項５】
前記ナットは、前記コネクタの前記ハウジング内に埋め込まれて固着されることを特徴とする請求項４に記載の電子機器。
【請求項６】
前記ナットは、前記コネクタと前記配線板の前記第１の面とのクリアランスを維持するスペーサ部を有することを特徴とする請求項４に記載の電子機器。
【請求項７】
第１の部材で構成され所定の長さを有するハウジングと、このハウジング内に固着され前記第１の部材と異なる第２の部材で構成された第１の固定部材と、所定の間隔で前記長さ方向に配列された複数の接続端子とを有するコネクタと、
第１の面と、この第１の面と反対側の第２の面とを有した配線板であって、前記複数の接続端子の夫々に対応して前記第１の面に設けられた複数のランドと、前記第１の固定部材と対向する位置に設けられた貫通孔部とを有する配線板と、
前記第２の面側から前記貫通孔部に挿入され、前記第１の固定部材と締結することで前記コネクタと前記配線板とを固定する第２の固定部材と、を具備し、
前記第１の固定部材は、前記第２の固定部材の挿入方向から見た際に、前記複数の接続端子の配列長の範囲内に少なくともその一部が収まっていることを特徴とする実装構造体。
【請求項８】
第１の部材で構成され所定の長さを有するハウジングと、
前記ハウジング内に固着され前記第１の部材と異なる第２の部材で構成された第１の固定部材と、
所定の間隔で前記長さ方向に配列された複数の接続端子と、を備えるコネクタであって、
前記複数の接続端子は、夫々に対応して配線板の第１の面に設けられた複数のランドに実装され、
前記第１の固定部材は、前記第１の面の反対側の第２の面側から、配線板の対向する位置に設けられた貫通孔部に挿入される第２の固定部材と締結することで前記コネクタと前記配線板とを固定し、前記第２の固定部材の挿入方向から見た際に、前記複数の接続端子の配列長の範囲内に少なくともその一部が収まっていることを特徴とするコネクタ。
【発明の詳細な説明】
【技術分野】
【０００１】
本発明は、電子機器、実装構造体、およびコネクタに関する。
【背景技術】
【０００２】
従来の技術として、ガイド部を配線板の貫通孔部に挿入して位置決め固定するコネクタがある（例えば、特許文献１参照）。
【０００３】
このコネクタは、コネクタハウジングに接続端子と、ガイド部とを有し、ガイド部は、接続端子の両端部に備えられ、配線板のコネクタ実装面に対して接続端子より突出して形成されている。コネクタを配線板に実装する際、配線板に設けられた貫通孔にガイド部を挿入した後、接続端子を挿入するため、コネクタの位置決めが容易となる。また、ガイド部は、ネジ軸となっており、コネクタ実装後、配線板裏面から固定ナットによりコネクタハウジングを固定して一定の取付強度を達成することができる。
【特許文献１】特開２００７−６６６１４号公報
【発明の開示】
【発明が解決しようとする課題】
【０００４】
しかし、従来のコネクタによると、コネクタハウジングを配線板のコネクタ実装面に密接させてガイド部およびナットで固定しているため、配線板に対するコネクタハウジングの取付強度は達成できるが、コネクタハウジングが密接する領域上に接続端子が配置されない場合には、接続端子の実装強度は必ずしも保証されず、接続端子に力が加わると接続端子とランドとのはんだ接合部に亀裂が生じる等して正常な実装状態が保たれない。また、接続端子を配線板に表面実装する構成においては、コネクタハウジングが配線板に密接しない構成となるため、同一の方法で対応できないという問題がある。
【０００５】
従って、本発明の目的は、コネクタの接続端子が配線板に表面実装される場合に、接続端子を実装面に対して均一に実装することができる電子機器、実装構造体、およびコネクタを提供することにある。
【課題を解決するための手段】
【０００６】
（１）本発明は上記目的を達成するため、第１の部材で構成され所定の長さを有するハウジングと、このハウジング内に固着され前記第１の部材と異なる第２の部材で構成された第１の固定部材と、所定の間隔で前記長さ方向に配列された複数の接続端子とを有するコネクタと、第１の面と、この第１の面と反対側の第２の面とを有した配線板であって、前記複数の接続端子の夫々に対応して前記第１の面に設けられた複数のランドと、前記第１の固定部材と対向する位置に設けられた貫通孔部とを有する配線板と、前記第２の面側から前記貫通孔部に挿入され、前記第１の固定部材と締結することで前記コネクタと前記配線板とを固定する第２の固定部材と、を具備し、前記第１の固定部材は、前記第２の固定部材の挿入方向から見た際に、前記複数の接続端子の配列長の範囲内に少なくともその一部が収まっていることを特徴とする電子機器を提供する。
【０００７】
上記した構成によれば、第１の固定部材と第２の固定部材によってコネクタを配線板に対して固定したため、コネクタの実装点である接続端子に加わる剥離方向の力に対応することができ、コネクタの接続端子が配線板に表面実装される場合に、接続端子を実装面に対して均一に実装することができる。また、第１の固定部材の少なくとも一部が接続端子の配列長の範囲内に配置されているため、配線板に対する実装領域を可能な限り増加させない。
【０００８】
（２）本発明は上記目的を達成するため、第１の部材で構成され所定の長さを有するハウジングと、このハウジング内に固着され前記第１の部材と異なる第２の部材で構成された第１の固定部材と、所定の間隔で前記長さ方向に配列された複数の接続端子とを有するコネクタと、第１の面と、この第１の面と反対側の第２の面とを有した配線板であって、前記複数の接続端子の夫々に対応して前記第１の面に設けられた複数のランドと、前記第１の固定部材と対向する位置に設けられた貫通孔部とを有する配線板と、前記第２の面側から前記貫通孔部に挿入され、前記第１の固定部材と締結することで前記コネクタと前記配線板とを固定する第２の固定部材と、を具備し、前記第１の固定部材は、前記第２の固定部材の挿入方向から見た際に、前記複数の接続端子の配列長の範囲内に少なくともその一部が収まっていることを特徴とする実装構造体を提供する。
【０００９】
上記した構成によれば、（１）と同様の効果を有する実装構造体を達成できる。
【００１０】
（３）本発明は上記目的を達成するため、第１の部材で構成され所定の長さを有するハウジングと、前記ハウジング内に固着され前記第１の部材と異なる第２の部材で構成された第１の固定部材と、所定の間隔で前記長さ方向に配列された複数の接続端子と、を備えるコネクタであって、前記複数の接続端子は、夫々に対応して配線板の第１の面に設けられた複数のランドに実装され、前記第１の固定部材は、前記第１の面の反対側の第２の面側から、配線板の対向する位置に設けられた貫通孔部に挿入される第２の固定部材と締結することで前記コネクタと前記配線板とを固定し、前記第２の固定部材の挿入方向から見た際に、前記複数の接続端子の配列長の範囲内に少なくともその一部が収まっていることを特徴とするコネクタを提供する。
【００１１】
上記した構成によれば、（１）と同様の効果を有するコネクタを達成できる。
【発明の効果】
【００１２】
本発明によれば、表面実装型コネクタの接続端子の実装強度を保証できる。
【発明を実施するための最良の形態】
【００１３】
以下に、本発明の電子機器としてのパーソナルコンピュータ（ＰＣ）の実施の形態を、図面を参照して詳細に説明する。
【００１４】
〔第１の実施の形態〕
（電子機器の構成）
図１は、本発明の第１の実施の形態に係るＰＣを示す斜視図である。
【００１５】
ＰＣ１は、上部筐体２と下部筐体３から構成され、上部筐体２が下部筐体３に対してヒンジ部４により開閉自在に接続されている。上部筐体２は、文字や画像等を表示する液晶表示パネル等からなる表示部２ａを有する。下部筐体３は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を実装する配線板１５（後述）を内部に収容しており、文字やコマンドを入力するためのキーボード３ａと、ポインティングデバイスとしてのトラックパッド３ｂおよび決定スイッチ３ｃとを上面に有する。また、下部筐体３には、ＰＣ１の機能を拡張する拡張カードとしてのＰＣＩ−ｅ  Ｍｉｎｉカードモジュール１０が収容されている。ＰＣＩ−ｅ  Ｍｉｎｉカードモジュール１０は、下部筐体３内のＣＰＵ等の主要回路を搭載する配線板１５上に設けられたＰＣＩ−ｅ  Ｍｉｎｉカードコネクタ１１（後述）に挿入されて搭載される。
【００１６】
図２は、本発明の第１の実施の形態に係るＰＣＩ−ｅ  Ｍｉｎｉカードモジュールの搭載状態を示す概略斜視図である。
【００１７】
ＰＣＩ−ｅ  Ｍｉｎｉカードモジュール１０は、配線板１５上に実装されたＰＣＩ−ｅ  Ｍｉｎｉカードコネクタ１１に差し込まれるカードエッジ端子としての端子１００と、固定用孔１０ａおよびスタッド１２ａの貫通孔１２０ａを介して配線板１５に設けられた固定孔（図示せず）に螺合して固定されるカード固定ネジ１２ｂと、配線板１５上にはんだで固定されるスタッド１２ａとを有する。スタッド１２ａは、ＰＣＩ−ｅ  Ｍｉｎｉカードモジュール１０が配線板１５に対して平行となるような高さを有する。
【００１８】
このＰＣＩ−ｅ  Ｍｉｎｉカードモジュール１０は、例えば、Ｒｏｂｓｏｎモジュールやビデオモジュールであり、ＰＣＩ−ｅ  Ｍｉｎｉ規格に基づいて構成され、ガラスエポキシ樹脂等を用いて形成された配線板上にＩＣチップ１０ｂ〜１０ｄを実装し、長さ５１ｍｍ、幅３０ｍｍのサイズで、配線板端部の両面に５２ピンの端子１００が設けられている。
【００１９】
ＰＣＩ−ｅ  Ｍｉｎｉカードコネクタ１１は、コネクタハウジング１１０内に設けられる雌ネジである第１の固定部材としてのナット１１Ａと、配線板１５の第１の面１５Ａと反対側の面である第２の面側から挿通させてナット１１Ａと螺合する雄ネジである第２の固定部材としてのコネクタ固定ネジ１１Ｂとを有し、ナット１１Ａとコネクタ固定ネジ１１Ｂとで配線板１５の第１の面１５Ａ上に固定される。また、配線板１５は、第１の面１５Ａと反対側の面として第２の面を有する。
【００２０】
このＰＣＩ−ｅ  Ｍｉｎｉカードコネクタ１１は、ＬＣＰ（Liquid Crystal Polymer，液晶ポリマ）等の樹脂等を用いて形成され、ＰＣＩ−ｅ  Ｍｉｎｉカードモジュール１０の端子１００用の挿入口を有し、所定の長さとして長さ３０ｍｍを有し、幅９．５ｍｍのコネクタハウジング１１０に、ＰＣＩ−ｅ  Ｍｉｎｉカードモジュール１０の端子１００と電気的に接続される５２ピン仕様のコネクタ端子１１ｃおよび１１ｄ（後述）を有する。ここでＬＣＰ等の樹脂等は、本発明に係る第１の部材である。また、ＰＣＩ−ｅ  Ｍｉｎｉカードコネクタ１１は、コネクタハウジング１１０内に固着されて第１の部材と異なる第２の部材、例えば、金属等で構成された第１の固定部材としてのナット１１Ａを有する。コネクタ端子１１ｃおよび１１ｄのそれぞれのピンは、表面実装型のＳＭＴ（Ｓｕｒｆａｃｅ  Ｍｏｕｎｔ  Ｔｅｃｈｎｏｌｏｇｙ）端子１１ａおよび１１ｂ（後述）と電気的に一体となるよう同一の材料、例えば、燐青銅等で構成されている。ＳＭＴ端子１１ａおよび１１ｂは、はんだリフローにより配線板１５上に設けられたランド１５ａおよび１５ｂ（後述）に実装されて電気的に接続される。
【００２１】
なお、本実施の形態において、表面実装とは、コネクタハウジング１１０が第１の面１５Ａに密着する等して完全に固定されている状態ではなく、ＳＭＴ端子１１ａおよび１１ｂをランド１５ａおよび１５ｂ上にはんだで固定することでコネクタハウジング１１０の一部を支持している状態とする。ここで、ＳＭＴ端子１１ａおよび１１ｂは、本発明に係る複数の接続端子であって、所定の間隔でコネクタハウジング１１０の長手方向に配列されている。
【００２２】
ナット１１Ａおよびコネクタ固定ネジ１１Ｂは、第２の部材として、例えば、Ｍ２サイズの金属ナットおよびネジを使用し、ナット１１Ａは、ＰＣＩ−ｅ  Ｍｉｎｉカードコネクタ１１のコネクタハウジング１１０内に埋め込まれて固着される。
【００２３】
なお、ナット１１Ａは、ＰＣＩ−ｅ  Ｍｉｎｉカードコネクタ１１のコネクタハウジングに埋め込まれる構成としてもよいし、コネクタハウジングに埋め込まずに別体とし、ＰＣＩ−ｅ  Ｍｉｎｉカードコネクタ１１を固定する際に、コネクタハウジング内の空間に設置する構成としてもよい。
【００２４】
図３（ａ）および（ｂ）は、本発明の第１の実施の形態に係る配線板の構成を示す概略図である。
【００２５】
ＰＣＩ−ｅ  Ｍｉｎｉカードコネクタ１１は、配線板１５の実装面側にＰＣＩ−ｅ  Ｍｉｎｉカードモジュール１０の端子１００のピン数に応じて設けられたＳＭＴ端子１１ａおよび１１ｂを有する。ＳＭＴ端子１１ａおよび１１ｂは、配線板１５のランドにそれぞれはんだ付けされて電気的に接続される。ランド１５ａおよび１５ｂは、配線板１５の第１の面１５Ａ上にＳＭＴ端子１１ａおよび１１ｂに対応して設けられている。
【００２６】
また、ＰＣＩ−ｅ  Ｍｉｎｉカードコネクタ１１は、コネクタハウジング１１０と第１の面１５Ａとのクリアランスを有するように、コネクタ固定ネジ１１Ｂをナット１１Ａに螺合する際にトルク管理しながら固定される。ＳＭＴ端子１１ａおよび１１ｂは、クリアランスが確保されることによってランドに均一に接続する。
【００２７】
また、ナット１１Ａの個数および配置については図示したものに限らず、少なくとも１つのナット１１Ａを用いて、すべてのＳＭＴ端子１１ａおよび１１ｂの固定強度が均一となる位置に配置するようにしてもよい。例えば、１つのナット１１Ａを用いる場合は、ナット１１ＡをＰＣＩ−ｅ  Ｍｉｎｉカードコネクタ１１の中央に配置する。複数のナット１１Ａを用いる場合は、ＰＣＩ−ｅ  Ｍｉｎｉカードコネクタ１１の長手方向に均一に配置することが好ましい。なお、ナット１１Ａは、コネクタ固定ネジ１１Ｂの挿入方向から見た際に、ＳＭＴ端子１１ａおよび１１ｂの配列長の範囲内に少なくともその一部が収まっていることとする。
【００２８】
図４は、本発明の第１の実施の形態に係るＰＣＩ−ｅ  Ｍｉｎｉカードコネクタの構成を示す一部断面図である。
【００２９】
ＰＣＩ−ｅ  Ｍｉｎｉカードコネクタ１１は、図面左手にカード挿入口を備えたコネクタハウジング１１０と、コネクタハウジング１１０の第１の面１５Ａ側から突出するように設けられて配線板１５のランド１５ａとはんだにより電気的に接続される接続端子としてのＳＭＴ端子１１ａおよび１１ｂと、ＳＭＴ端子１１ａと一体成型されてＰＣＩ−ｅ  Ｍｉｎｉカードモジュール１０のＩＣチップ搭載面と逆側の端子１００と弾性的に接触する接続端子としてのコネクタ端子１１ｃと、ＳＭＴ端子１１ｂと一体成型されてＰＣＩ−ｅ  Ｍｉｎｉカードモジュール１０のＩＣチップ搭載面の端子１００と弾性的に接触するコネクタ端子１１ｄおよびコネクタ端子１１ｄと、コネクタハウジング１１０内に配置されたナット１１Ａとを有し、ナット１１Ａにコネクタ固定ネジ１１Ｂをコネクタ固定孔１５ｃを介して螺合させて締結することで配線板１５に対して固定される。コネクタ固定孔１５ｃは、配線板１５上で、ナット１１Ａと対向する位置に設けられている。ここで、コネクタ固定孔１５ｃは、本発明に係る貫通孔部である。
【００３０】
ＳＭＴ端子１１ａおよび１１ｂは、ピンごとに電気的に独立するとともに、それぞれコネクタハウジング１１０に固定保持されており、コネクタ端子１１ｃおよび１１ｄは端子１００に接する突部１１ｅおよび１１ｆを有し、弾性力を有して変形可能である。このＳＭＴ端子１１ａおよび１１ｂとコネクタ端子１１ｃおよび１１ｄは、銅、銅合金等の金属をプレス加工して形成される。なお、ＰＣＩ−ｅ  Ｍｉｎｉカードモジュール１０の端子１００は、ＩＣチップ搭載面側とその逆側の面においてそれぞれ電気的に独立している。
【００３１】
（拡張カードの装着方法）
以下に、本発明の第１の実施の形態におけるＰＣＩ−ｅ  Ｍｉｎｉカードモジュールの実装方法を各図を参照しつつ説明する。
【００３２】
図５（ａ）および（ｂ）は、本発明の第１の実施の形態に係るＰＣＩ−ｅ  Ｍｉｎｉカードモジュール１０をＰＣＩ−ｅ  Ｍｉｎｉカードコネクタ１１へ取り付ける際の挿入動作を示す一部断面図である。
【００３３】
ＰＣＩ−ｅ  Ｍｉｎｉカードモジュール１０は、配線板１５に対して所定の角度をなすようにＰＣＩ−ｅ  Ｍｉｎｉカードコネクタ１１に挿入される。挿入された後、ＰＣＩ−ｅ  Ｍｉｎｉカードモジュール１０は、コネクタ端子１１ｃの突部１１ｅを支点として配線板１５と平行になるように傾けられ、端子１００がコネクタ端子１１ｄの突部１１ｆを持ち上げる。このことより、コネクタ端子１１ｃおよび１１ｄがＰＣＩ−ｅ  Ｍｉｎｉカードモジュール１０の端子１００を両面側から押さえつけて把持することにより電気的に接続する。
【００３４】
次に、固定用孔１０ａおよびスタッド１２ａの貫通孔１２０ａを介してカード固定ネジ１２ｂを配線板１５の固定孔に螺合させることにより、ＰＣＩ−ｅ  Ｍｉｎｉカードモジュール１０を配線板１５に固定する。以上で、ＰＣＩ−ｅ  Ｍｉｎｉカードモジュール１０の装着を完了する。
【００３５】
（第１の実施の形態の効果）
上記した第１の実施の形態によると、ＰＣＩ−ｅ  Ｍｉｎｉカードコネクタ１１をナット１１Ａによって配線板１５に固定したため、ＰＣＩ−ｅ  Ｍｉｎｉカードモジュール１０の挿入および取り付けに伴ってＳＭＴ端子１１ａおよび１１ｂに加わる剥離方向の力に対応することができ、ＳＭＴ端子１１ａおよび１１ｂが配線板１５に表面実装される場合に、ランド１５ｂに対して均一に実装することができる。
【００３６】
また、ＰＣＩ−ｅ  Ｍｉｎｉカードモジュール１０の長手方向の長さが大きくなると、スタッド１２ａの高さに誤差を生じることでＰＣＩ−ｅ  Ｍｉｎｉカードコネクタ１１のコネクタ端子１１ｃおよび１１ｄに対して加わる力が大きくなり、ひいては、コネクタ端子１１ｃおよび１１ｄと一体化されたＳＭＴ端子１１ａおよび１１ｂに対して配線板１５の第１の面１５Ａの法線方向に加わる力が大きくなるが、ナット１１Ａおよびコネクタ固定ネジ１１ＢをＰＣＩ−ｅ  Ｍｉｎｉカードコネクタ１１を配線板１５に固定することで、ＳＭＴ端子１１ａおよび１１ｂに負担がかかるようなＰＣＩ−ｅ  Ｍｉｎｉカードモジュール１０の取付状態が維持される場合にも、ＳＭＴ端子１１ａおよび１１ｂと配線板１５のランドとを接続するはんだ接合部分に亀裂が生じて、剥離することを防止する。つまり、ＰＣＩ−ｅ  Ｍｉｎｉの規格外の長手方向の長さを有するカードモジュールの取り付けに対応することができる。
【００３７】
なお、ナット１１Ａは、外形が上記した六角形のものに限らず、螺合の際にコネクタハウジングに係合または嵌合するものであれば、四角ナットや袋ナットを使用しても良い。また、ナット１１Ａの代わりに、ＰＣＩ−ｅ  Ｍｉｎｉカードコネクタ１１のコネクタハウジングに直接ネジ孔を設ける構成としてもよい。
【００３８】
また、ナット１１Ａおよびネジ１１Ｂを用いずに固定部材を構成してもよい。例えば、クランプ部を設けた固定部材を用意し、コネクタハウジング１１０に固定部材取付孔を設けて互いに嵌合する構成としてもよい。また、コネクタハウジング１１０の配線板実装面にクランプ部を設けた突起を設け、配線板１５のコネクタ固定孔１５ｃにクランプ部を嵌合させるようにしてもよい。
【００３９】
また、カードコネクタおよびカードモジュールはＰＣＩ−ｅ  Ｍｉｎｉ規格のものに限らず、任意の規格のスロットおよびカードを用いることができる。また、カードモジュールをスタッドに固定する際、別部材で嵌合させたり、係合させ、ネジ固定以外の方法で固定してもよい。
【００４０】
〔第２の実施の形態〕
（構  成）
図６は、本発明の第２の実施の形態に係るＰＣＩ−ｅ  Ｍｉｎｉカードコネクタの構成を示す概略図である。なお、以下の説明において、第１の実施の形態と同一の構成および機能を有する部分については共通の符号を付している。
【００４１】
ナット１３は、配線板１５方向に突出して設けられたスペーサ部１３ａを有し、ナット１３が、その下面の一部を第１の実施の形態と同様にＰＣＩ−ｅ  Ｍｉｎｉカードコネクタ１１のコネクタハウジングに接して配線板１５方向へ固定するとともに、スペーサ部１３ａの底面が配線板１５の第１の面１５Ａに接することによって、ＰＣＩ−ｅ  Ｍｉｎｉカードコネクタ１１と配線板１５とのクリアランスＸを維持する。
【００４２】
クリアランスＸの設定値は、例えば、０．１５ｍｍ±０．０５ｍｍであり、ナット１３の配置に合わせてスペーサ部１３ａの高さを決定する。
【００４３】
（第２の実施の形態の効果）
第２の実施の形態によると、第１の実施の形態の効果に加え、ナット１３とコネクタ固定ネジ１１Ｂ同士を締めすぎることで生じるＳＭＴ端子１１ａおよび１１ｂとランド１５ａおよびランド１５ｂとを接続するはんだ接合部に負担が加わることを防止することができる。
【図面の簡単な説明】
【００４４】
【図１】本発明の第１の実施の形態に係るＰＣを示す斜視図である。
【図２】本発明の第１の実施の形態に係るＰＣＩ−ｅ  Ｍｉｎｉカードモジュールの搭載状態を示す概略斜視図である。
【図３】（ａ）および（ｂ）は、本発明の第１の実施の形態に係る配線板の構成を示す概略図である。
【図４】本発明の第１の実施の形態に係るＰＣＩ−ｅ  Ｍｉｎｉカードコネクタの構成を示す一部断面図である。
【図５】（ａ）および（ｂ）は、本発明の第１の実施の形態に係るＰＣＩ−ｅ  Ｍｉｎｉカードモジュール１０をＰＣＩ−ｅ  Ｍｉｎｉカードコネクタ１１へ取り付ける際の挿入動作を示す一部断面図である。
【図６】本発明の第２の実施の形態に係るＰＣＩ−ｅ  Ｍｉｎｉカードコネクタの構成を示す概略図である。
【符号の説明】
【００４５】
１…ＰＣ、２…上部筐体、２ａ…表示部、３…下部筐体、３ａ…キーボード、３ｂ…トラックパッド、３ｃ…決定スイッチ、４…ヒンジ部、１０…ＰＣＩ−ｅ  Ｍｉｎｉカードモジュール、１０ａ…固定用孔、１０ｂ〜１０ｄ…ＩＣチップ、１１…ＰＣＩ−ｅ  Ｍｉｎｉカードコネクタ、１１Ａ…ナット、１１Ｂ…コネクタ固定ネジ、１１ａ…ＳＭＴ端子、１１ｂ…ＳＭＴ端子、１１ｃ…コネクタ端子、１１ｄ…コネクタ端子、１１ｅ…突部、１１ｆ…突部、１２ａ…スタッド、１２ｂ…カード固定ネジ、１３…ナット、１３ａ…スペーサ部、１５…配線板、１５Ａ…第１の面、１５Ｂ…第２の面、１５ａ…ランド、１５ｂ…ランド、１５ｃ…コネクタ固定孔、１００…端子、１１０…コネクタハウジング、１２０ａ…貫通孔
【図１】
2009134957.tif 000003
【図２】
2009134957.tif 000004
【図３】
2009134957.tif 000005
【図４】
2009134957.tif 000006
【図５】
2009134957.tif 000007
【図６】
2009134957.tif 000008